(57)【要約】      （修正有）【課題】ホース内の水抜き作業は従来の要領では長いホース間を３往復もしなければ終了しないのであるが、このうち最もわずらわしく辛い部分を従来の接続端子の体内に水抜き機能を付ける。【解決手段】従来の接続端子の央部を長くすることで、スペースをつくりこの中に水抜き機能を形成した。【選択図】図３
2009014192.tif 000002
【特許請求の範囲】
【請求項１】
「［図３］ＳＳ間」に延長部１  通水孔２  バルブ取り付け用螺孔３  を形成すると共に、別製のバルブ４  に付く螺凸部５  を差込締凸部６  にて固締する。
以上の構成を有する水抜きバルブ付き接続端子。
【請求項２】
「［図４］中Ｄ−Ｅ」は「［図１］」に示す従来の差込固締子と同一、７は「［図３］ＳＳ間」同等スペース、通水孔８  ホース片挿入溝９  ホース片固締用ネジ孔１０  螺孔１１  を形成すると共に、別製のバルブ１２  に付く螺凸部１３  を差込締凸部１４  にて締めホース片１５  を挿入しネジＮにて固締する。
以上の構成を有する水抜きバルブ付き接続端子。
【請求項３】
「［図５］中」消火用ホースＳＨ端部に固締された接続端子１６  にある段差１７  螺孔１８  を穿ち、別製のバルブ１９  に付く螺凸２０  を差込締凸部２１  にて固締する。
以上の構成を有する水抜きバルブ付き接続端子。
【発明の詳細な説明】
【技術分野】
【０００１】  当発明はホース内の消毒水の水抜き作業の簡易化を図ったバルブ付き接続端子に関するものである。
【背景技術】
【０００２】  市場には家庭用水道または農業用消毒水散布に用いるための蛇口とホースとの接続端子がある。
品名  蛇口＆ホースジョイント  台湾製
実用新案登録  出願番号不詳
発売元  （株）大創産業      広島県広島市西条吉行東１−４−１４【０００３】  リンゴ、梨、ブドウ、その他の栽培を専業とする農家の春先は消毒作業から始まると言われているが、高地且つ傾斜のつよい地形では消毒車は使えない。【０００４】  消毒は風の無い早朝から始め陽がのぼり陽ざしがつよくなる時刻には中止するのが慣わしとなっている、従って翌朝実施となるのであるが、この場合すみやかにホース内の水を抜き出す作業をしなければならない、そのわけは春とは言え高地の昼と夜の気温の差はいちじるしく氷点下になることもありホース内の水が凍ってしまったら消毒は出来なくなる。従って水抜きはさけて通れない作業なのである。然しこの作業は極めてわずらわしい重労働的作業と言えるもので、この大変さを具体的に詳細に述べるとする。
第一に中止と共に噴霧器を閉める、次に消毒槽の在るところまで歩き蛇口を閉める、再び噴霧器まで戻り噴霧器をホースから外す、更に戻って消毒槽の蛇口からホースを外す、これからが重労働すなわちホースの端を腰のあたりまで持ち上げ水を押し出す、そのため両手でホースを持ちかえながらホース端まで歩きつずける、ここまでしなければホース内の水は抜き出せないのである。
【発明の開示】
【発明が解決しょうとする課題】
【０００５】  上記従来の接続端子の役割は蛇口とホースを接続すること、それに止まるものであって、外したホース内の水を抜き出す機能までは有していない。しかも水抜きは全く別の独立作業であると考えるのが普通であろう。
当発明は、従来の接続端子の体内に水抜き機能を付けることで課題を解決することにした。
【課題を達成するための手段】
【０００６】  当発明の目的の要に供する部材として、従来の接続端子を採用しその央部「［図１］のＳ間」を「［図２］ＳＳ間」に示す通り延長形成せしめ、このスペース内に水抜き機能となる各部を形成し別製のバルブ子を付設した構成の接続端子とした。
【０００７】  以下［図面］について説明する。
「［図１］」は従来の接続端子であり各パーツの符号はＡＢＣ等で示した、尚全図同様に示している。
［請求項１］の部
【０００８】  以下［図面］について説明する。
「［図３］ＳＳ間」に延長部１  通水孔２  バルブ取り付け用螺孔３  を形成すると共に、別製のバルブ４  に付く螺凸部５  を差込締凸部６  にて固締する。
以上の構成を有する水抜き用バルブ付き接続端子。
［請求項２］の部
【０００９】  ［図４］につき説明する。
「［図４］中Ｄ−Ｅ」は「［図１］」に示す従来のホース差込固定子と同一、７は「［図３］ＳＳ間部」と同等のスペース、通水孔８  ホース片挿入溝９  ホース片固締用ネジ孔１０  螺孔１１  を形成すると共に別製のバルブ１２  に螺凸部１３  を差込締凸部１４  にて締めホース片１５  を挿入しネジＮにて固定する。
以上の構成を有する水抜き用バルブ付き接続端子。
［請求項３］の部
【００１０】  ［図５］について説明する。
「［図５］中」消火用ホースＳＨの端部に固定された段差１６  付き接続端子１７  の央部に螺孔１８  を穿ち別製の水抜きバルブ１９  に付く螺凸部２０  を差込締凸部２１  にて固締する。
以上の構成を有する消火栓用ホースの水抜きバルブ付き接続端子。
【００１１】  ［図６］について説明する。
「［図６］中鎖線Ｋ間」は「［図１］」と同一部分であり蛇口ＧホースＨを取り付けた状態を示したものである。
【００１２】  上記の通り「［図６］」は従来の接続端子すなわち「［図１］」をそのまま使えるようにと図って形成したものである。
【００１３】  従来の接続端子を用いた場合の水抜き作業では、ホースの端と端間を３往復もしなければ終わらなかったが、当接続端子に付設したバルブにより１往復分を減ずる役割作用をする。
【発明の効果】
【００１４】  果実生産専業農家の消毒作業はわずらわしく辛い作業であることはすでに述べた通りであるが、この辛い作業から開放されるとする効果、第二に消防車用ホースの水抜き作業実施に当たり、特に市町村の消防団員作業量の軽減が可能となる効果等。
以上述べた通り労働量軽減を可能とせしめる発明上の効果が得られる。
【発明を実施するための最良の形態】
【００１５】  当発明の実施の形態を「［図３］−［図５］」に基ずいて説明する。【００１６】  「［図３］」の上部に付く蛇口を閉めバルブ６に別製の空気ポンプをセットして作動せしめる。ポンプは手動ないし電動ポンプまたはエンジンポンプいずれでも使用可能である。【００１７】  バルブからホースＳＨ内に入った圧縮空気は閉めた蛇口が袋底の作用をしているから勢いホースＳＨ側に流れ圧が加わり水を押し出して行く、水が出切ると手押しポンプの場合押す力が軽くなり、電動またはエンジンポンプの場合は作動音が変わる、その時点で停止せしめる。
【実施例】
【００１８】  手押しポンプを用いての実施テストの成果は良である。
【産業上の利用可能性】
【００１９】  「［図３］−［図４］」の場合、消毒作業量の軽減可能の機能を有する当接続端子は、付加価値の点で普及度は高く、製作技術上難は無く、コストの面でも量産可能である。
「［図５］」の場合、消防士は言わばサラリーマン、消防団員はボランテアすなわち個々に別々の職業を持った人の集団、従って火事、消火後のかたずけ仕事すなわち先ずホースの水を抜くこと、その抜き方に消防士と消防団員には違いがある。消防士はホースをはずすとすぐに巻き取りながら水を押し出してゆき巻き終ったら消防タンクの上に上げて持ち帰り、署に着くと即次の出動準備のためスペアホースをセットする、それからゆっくりと使ったホースの洗い、乾燥等の作業をする、時間はたっぷりあると消防士の説明。然しボランテア消防団員にはそんな時間がない、仕事を途中で投げ出して火事場に駆けつけて来た人達には様々に仕事が待っているのである、然しホースの水を抜き持ち帰らなければならない、そこで効率的な、とする水を抜く要領として、抜いたホースの端から頭の上に持ち上げながら左右と手を替えて歩を進め長いホース間まで歩かなければ水は抜き切れない。上記が当今の一般的な要領である、とは消防団員の説明である。【００２０】  全国の市町村に在る消防団が所有する消防車に当水抜き用バルブ付き接続端子を付設したホースを用いれば、上記要領の重労働的作業をすることはなくなる。【００２１】  消防車用ホースの数は定かではないが、膨大な量のホースがあることは確かで、この数の分生産が必要という点で産業上の利用可能性は充分にあると言える。
【図面の簡単な説明】
【図１】  市販の従来の接続端子の側面図。
【図２】  ［図１］Ｓ間下を延長しバルブを付設した接続端子の側面図。
【図３】  「［図２］ＳＳ間」の延長部分を断面で示す側面図。
【図４】  「［図１］」の端子に接続するための端子の央部を断面で示す側面図。
【図５】  消防用ホースと消火栓との接続端子にして央部を断面で示す水抜きバルブ付き接続端子の側面断片図。
【図６】  蛇口に固定した「［図１］」に「［図４］」接続した状態を示す側面図であり、図中の同一符号は共に同一または対等の部分を示すものである。
【符号の説明】
［請求項１］の部
１〜延長部分
２〜通水孔
３〜ネジ孔
４〜バルブ
５〜螺凸部
６〜締め凸部
［請求項２］の部
７〜バルブ取り付けスペース
８〜通水孔
９〜ホース差込用溝
１０〜ホース固締用ネジ孔
１１〜バルブ差込用螺孔
１２〜バルブ
１３〜螺凸部
１４〜締め凸部
１５〜ホース片
［請求項３］の部
１６〜接続端子
１７〜段差
１８〜螺孔
１９〜バルブ
２０〜螺凸部
２１〜締め凸部
Ａ〜差込子
Ｂ〜蛇口固定部
Ｃ〜着脱片
Ｄ〜ホース差込部
Ｅ〜ホース締め子
Ｇ〜蛇口片
Ｈ〜ホース
Ｓ〜着脱用スライドスペース
ＳＳ〜延長幅
Ｎ〜ネジ
Ｋ〜鎖線  市販の接続端子の長さ
Ｙ〜スライド方向を示す
ＳＫ〜消火栓
ＳＨ〜消火用ホース
【図１】
2009014192.tif 000003
【図２】
2009014192.tif 000004
【図３】
2009014192.tif 000005
【図４】
2009014192.tif 000006
【図５】
2009014192.tif 000007
【図６】
2009014192.tif 000008